(57)【要約】【課題】不使用期間の放電を簡易に抑制することができる農作業機を提供する。【解決手段】電装品と、電装品に電力を供給するバッテリ２１と、電装品とバッテリ２１とを電気的に接続する導体２と、が備えられ、導体２に、機体フレーム２２が含まれており、導体２の中途部に、開状態と閉状態とに切換可能であって、バッテリ２１からの電力の伝達を遮断可能な操作部３０が備えられている。【選択図】図５
2022002489.tif 000002
【特許請求の範囲】
【請求項１】
電装品と、前記電装品に電力を供給するバッテリと、前記電装品と前記バッテリとを電気的に接続する導体と、が備えられ、
前記導体に、機体フレームが含まれており、
前記導体の中途部に、開状態と閉状態とに切換可能であって、前記バッテリからの電力の伝達を遮断可能な操作部が備えられている農作業機。
【請求項２】
前記操作部は、前記バッテリと隣り合う状態で設けられている請求項１に記載の農作業機。
【請求項３】
前記機体フレームは、前記導体のうち、前記バッテリのマイナス端子に近い部分に設けられ、
前記操作部は、前記導体における前記機体フレームと前記マイナス端子との間の部分に設けられている請求項１または２に記載の農作業機。
【請求項４】
前記操作部は、機体の外周部に設けられている請求項１から３のいずれか一項に記載の農作業機。
【請求項５】
前記操作部は、機体の後部に設けられている請求項４に記載の農作業機。
【請求項６】
前記操作部を支持するとともに電導性を有するステーが、前記機体フレームに電導状態で支持され、
前記操作部に、操作者が操作する操作具と、前記バッテリの側からの前記導体が結線される第一結線部と、前記機体フレームの側からの前記導体が結線される第二結線部と、が備えられ、
前記第二結線部は、前記ステーに連結されている請求項１から５のいずれか一項に記載の農作業機。
【請求項７】
機体前部に設けられ、圃場の作物を収穫する収穫部と、
前記収穫部の後方において、機体左右方向の一方側に偏倚する状態で設けられた運転部と、
前記収穫部によって収穫された作物を脱穀処理する脱穀装置と、
前記運転部の後方において、前記脱穀装置と横並び状態で設けられ、脱穀処理後の穀粒を貯留する穀粒貯留部と、が備えられ、
前記操作部は、前記穀粒貯留部の後方に設けられている請求項１から６のいずれか一項に記載の農作業機。
【請求項８】
前記脱穀装置の後部に、脱穀後の排ワラを処理する排ワラ処理部が備えられ、
前記排ワラ処理部は、前記脱穀装置の後方から前記穀粒貯留部の後方に亘って設けられ、
前記操作部は、前記排ワラ処理部の下方に設けられている請求項７に記載の農作業機。
【請求項９】
前記排ワラ処理部は、下方に排ワラを排出するように構成され、
前記穀粒貯留部と前記排ワラ処理部との間に、前記排ワラ処理部の排出経路を前記穀粒貯留部の後方空間と仕切る仕切壁が備えられ、
前記操作部に、操作者が操作する操作具と、前記バッテリの側からの前記導体が結線される第一結線部と、前記機体フレームの側からの前記導体が結線される第二結線部と、が備えられ、
前記操作部は、前記第一結線部及び前記第二結線部が前記仕切壁に対して前記穀粒貯留部の側に位置する状態、かつ、前記操作具が前記仕切壁に対して前記排出経路の側に露出する状態で設けられている請求項８に記載の農作業機。
【請求項１０】
前記排ワラ処理部に、前記排ワラ処理部の排出口から下方に向けて延出されて前記排出経路を囲うカバー部材が備えられ、
前記カバー部材のうち、前記操作具の近傍に位置する部分に、前記操作具を外部に露出させる切欠部が形成されている請求項９に記載の農作業機。
【請求項１１】
前記操作具は機体後方から操作する状態で設けられ、
前記切欠部は、前記カバー部材のうち、前記操作具と対向する部分以外の部分に形成されている請求項１０に記載の農作業機。
【請求項１２】
前記仕切壁のうち、前記操作部の周囲に位置する周囲部分は、前記仕切壁のうち、前記周囲部分以外の部分から切り離して着脱可能である請求項９から１１のいずれか一項に記載の農作業機。
【発明の詳細な説明】
【技術分野】
【０００１】
本発明は、バッテリを備える農作業機に関する。
【背景技術】
【０００２】
例えば、農作業機（文献では「コンバイン」）にバッテリを備えたものが知られている（特許文献１参照）。農作業機において、バッテリは、エンジンの始動用モータやヘッドライト等の電装品の電源として用いられる。
【先行技術文献】
【特許文献】
【０００３】
【特許文献１】特開２００７−３３０１２３号公報
【発明の概要】
【発明が解決しようとする課題】
【０００４】
農作業機は、使用期間が一年間のうち例えば収穫期等の特定時期に限定される場合がある。バッテリは不使用時にも放電し続けるため、不使用期間が長くなると、次回（例えば翌年）使用時にバッテリが上がった状態となり、農作業機が使用できないことがある。その場合、農作業機はバッテリを再充電したり交換したりする必要がある。農作業機においてバッテリ上がりを予防するための対策としては、不使用期間に入る前にバッテリからハーネスを外してバッテリの放電を抑制することが考えられる。ただし、農家等において農作業機を格納する納屋等施設は総じて狭いため、農作業機においてバッテリに対するハーネスの着脱は行い難い場合が多い。
【０００５】
上記実情に鑑みて、不使用期間のバッテリの放電を簡易に抑制することができる農作業機が要望されている。
【課題を解決するための手段】
【０００６】
本発明に係る農作業機は、電装品と、前記電装品に電力を供給するバッテリと、前記電装品と前記バッテリとを電気的に接続する導体と、が備えられ、前記導体に、機体フレームが含まれており、前記導体の中途部に、開状態と閉状態とに切換可能であって、前記バッテリからの電力の伝達を遮断可能な操作部が備えられていることを特徴とする。
【０００７】
本構成によれば、電装品とバッテリとを電気的に接続する導体の中途部にバッテリからの電力の伝達を遮断可能な操作部が備えられているので、農作業機において操作部を操作して導体の中途部を開状態にするだけで、バッテリからの電力の伝達を遮断することができる。また、農作業機を再度使用する際には、操作部を操作して導体の中途部を閉状態にするだけで、バッテリから電力が伝達される状態に切換えることができる。これにより、農作業機は不使用期間のバッテリの放電を簡易に抑制することができる。
【０００８】
さらに、本発明において、
前記操作部は、前記バッテリと隣り合う状態で設けられていると好適である。
【０００９】
本構成によれば、バッテリからの電力の伝達を遮断可能な操作部がバッテリと隣り合う状態で設けられているので、バッテリに対して操作部を配置し易く、バッテリからの電力の伝達状況の確認も容易になる。
【００１０】
さらに、本発明において、
前記機体フレームは、前記導体のうち、前記バッテリのマイナス端子に近い部分に設けられ、前記操作部は、前記導体における前記機体フレームと前記マイナス端子との間の部分に設けられていると好適である。
【００１１】
操作部によってバッテリからの電力を遮断する場合に、操作部がバッテリのプラス端子に接続される導体の中途に存在すると、バッテリから電装品に供給される電力が人体に供給される等の不都合が生じるおそれがある。そこで、本構成では、機体フレームは、導体のうちバッテリのマイナス端子に近い部分に設けられている。本構成により、操作部を操作する人体は、バッテリのマイナス端子と機体フレームとの間で位置するので、操作部を操作する際にバッテリからの電力は人体に流れることがない。
【００１２】
さらに、本発明において、
前記操作部は、機体の外周部に設けられていると好適である。
【００１３】
本構成のように、操作部が機体の外周部に設けられていると、機外から操作部に手が届き易くなるので、操作部の操作性が向上する。
【００１４】
さらに、本発明において、
前記操作部は、機体の後部に設けられていると好適である。
【００１５】
農作業機を格納施設に格納する場合、格納施設が狭い場合には格納施設の奥側に農作業機の前方が格納されることがある。こうした場合、本構成のように、操作部は機体の後部に設けられていることで、操作部に対して格納施設の入口側の広いスペースから容易に操作することができる。これにより、農作業機において操作部の操作性が向上する。
【００１６】
さらに、本発明において、
前記操作部を支持するとともに電導性を有するステーが、前記機体フレームに電導状態で支持され、前記操作部に、操作者が操作する操作具と、前記バッテリの側からの前記導体が結線される第一結線部と、前記機体フレームの側からの前記導体が結線される第二結線部と、が備えられ、前記第二結線部は、前記ステーに連結されていると好適である。
【００１７】
本構成によれば、ステーに操作部が支持されるとともに、当該ステーに第２結線部が連結されているので、操作部において作業性が向上する。また、導電性を有するステーが機体フレームに導電状態で支持されるので、機体フレームと操作部との間に無駄なハーネスを配置する必要がない。
【００１８】
さらに、本発明において、
機体前部に設けられ、圃場の作物を収穫する収穫部と、前記収穫部の後方において、機体左右方向の一方側に偏倚する状態で設けられた運転部と、前記収穫部によって収穫された作物を脱穀処理する脱穀装置と、前記運転部の後方において、前記脱穀装置と横並び状態で設けられ、脱穀処理後の穀粒を貯留する穀粒貯留部と、が備えられ、前記操作部は、前記穀粒貯留部の後方に設けられていると好適である。
【００１９】
本構成によれば、操作部が運転部の後方且つ穀粒貯留部の後方に設けられているので、農作業機の使用時において操作部は操作し難い位置である。これにより、農作業機において操作部の操作具に対する不測の操作を防止することができる。
【００２０】
さらに、本発明において、
前記脱穀装置の後部に、脱穀後の排ワラを処理する排ワラ処理部が備えられ、前記排ワラ処理部は、前記脱穀装置の後方から前記穀粒貯留部の後方に亘って設けられ、前記操作部は、前記排ワラ処理部の下方に設けられていると好適である。
【００２１】
本構成によれば、操作部が排ワラ処理部の下方に設けられているので、農作業機の使用時において操作部は外部から視認し難い位置になる。これにより、農作業機において操作部の操作具に対する不測の操作を防止することができる。
【００２２】
さらに、本発明において、
前記排ワラ処理部は、下方に排ワラを排出するように構成され、前記穀粒貯留部と前記排ワラ処理部との間に、前記排ワラ処理部の排出経路を前記穀粒貯留部の後方空間と仕切る仕切壁が備えられ、前記操作部に、操作者が操作する操作具と、前記バッテリの側からの前記導体が結線される第一結線部と、前記機体フレームの側からの前記導体が結線される第二結線部と、が備えられ、前記操作部は、前記第一結線部及び前記第二結線部が前記仕切壁に対して前記穀粒貯留部の側に位置する状態、かつ、前記操作具が前記仕切壁に対して前記排出経路の側に露出する状態で設けられていると好適である。
【００２３】
本構成によれば、仕切壁によって排ワラ処理部の排出経路が穀粒貯留部の後方空間と仕切られており、操作部の第一結線部及び第二結線部は穀粒貯留部の側に位置する。これにより、操作部の第一結線部及び第二結線部は、仕切壁によって排ワラから保護することができる。また、操作部の操作具は排ワラの排出経路の側に露出するので、外部から操作部の操作具を操作することができる。
【００２４】
さらに、本発明において、
前記排ワラ処理部に、前記排ワラ処理部の排出口から下方に向けて延出されて前記排出経路を囲うカバー部材が備えられ、前記カバー部材のうち、前記操作具の近傍に位置する部分に、前記操作具を外部に露出させる切欠部が形成されていると好適である。
【００２５】
バッテリからの電力の伝達を遮断可能な操作部は、農作業機の使用時には操作する必要はない。そのため、農作業機の使用時において、操作部は操作し難いことが好ましい。本構成によれば、操作具が排ワラ処理部の排出経路を囲うカバー部材に覆われている、したがって、不測に操作具が操作されるのを防止することができる。さらに、操作部の操作具はカバー部材に形成された切欠部から外部に露出されるので、必要時にカバー部材の切欠部から操作部の操作具を操作することができる。
【００２６】
さらに本発明において、
前記操作具は機体後方から操作する状態で設けられ、前記切欠部は、前記カバー部材のうち、前記操作具と対向する部分以外の部分に形成されていると好適である。
【００２７】
本構成によれば、操作部の操作具は機体後方から操作する状態であり、且つ、切欠部はカバー部材において操作具に対向しない部分に形成されている。したがって、操作部の操作具は機体後方側からは露出しない構成であり、切欠部は機体側方のカバー部材に設けられることになる。これにより、操作部の操作具は、農作業機の外部から簡単に操作できない位置に配置されることになる。その結果、農作業機において操作部の操作具に対する不測の操作を防止することができる。
【００２８】
さらに、本発明において、
前記仕切壁のうち、前記操作部の周囲に位置する周囲部分は、前記仕切壁のうち、前記周囲部分以外の部分から切り離して着脱可能である好適である。
【００２９】
操作部は、仕切壁に対して穀粒貯留部の側に第一結線部及び第二結線部が配置されている。したがって、操作部において第一結線部及び第二結線部のメンテナンス等を行う際には、仕切壁を取り外す必要がある。ここで、仕切壁は排ワラ処理部の排出経路を穀粒貯留部の後方空間と仕切るものであるため、仕切壁全体の着脱には手間がかかる。しかし、本構成によれば、仕切壁において操作部の周囲部分のみが切り離し可能であるので、操作部において第一結線部及び第二結線部等のメンテナンスを行う際に、仕切壁全体を取り外す必要はなく、仕切壁のうち操作部に係る部位のみを切り離して取り外すことができる。これにより、農作業機において、操作部のメンテナンス性を向上させることができる。
【図面の簡単な説明】
【００３０】
【図１】農作業機の全体を示す側面図である。
【図２】農作業機の全体を示す平面図である。
【図３】農作業機の一部を切り欠いた背面図である。
【図４】農作業機の部分側断面図である。
【図５】バッテリ載置部分の背面斜視図である。
【図６】バッテリ載置部分の正面図である。
【図７】バッテリと電装品と間の電流回路を示す模式図である。
【発明を実施するための形態】
【００３１】
本発明に係る農作業機について、その実施形態を図面に基づいて説明する。
図１及び図２に、農作業機の一例である自脱型コンバインの全体が示されている。本実施形態のコンバインは、稲、麦などの収穫作業を行なう。なお、以下の説明では、コンバインの走行機体に関し、図１，２に示される矢印Ｆの方向を「機体前方」、矢印Ｂの方向を「機体後方」、図１に示される矢印Ｕの方向を「機体上方」、矢印Ｄの方向を「機体下方」、図２に示される矢印Ｌの方向を「機体左方」、矢印Ｒの方向を「機体右方」とする。
【００３２】
［第１実施形態］
図１及び図２に示すように、コンバインは、左右一対のクローラ走行装置１，１によって自走する走行機体によって構成され、機体前部に、圃場の作物（例えば、植立穀稈）を収穫する刈取部３（収穫部の一例）が設けられている。機体の前部右側に、運転席４ａを有する運転部４が備えられている。すなわち、運転部４は、刈取部３の後方において、機体左右方向の一方側に偏倚する状態で設けられている。運転部４の後方には、刈取部３によって刈り取られた穀稈を脱穀処理する脱穀装置５と、脱穀処理によって得られた穀粒を貯留する穀粒タンク６（穀粒貯留部の一例）とが、横並び状態で設けられている。穀粒タンク６内の穀粒を外部に排出する穀粒排出装置７が設けられている。運転部４、脱穀装置５、及び穀粒タンク６は、機体フレーム２２に載置支持されている。
【００３３】
刈取部３は、刈取対象の植立穀稈を分草具１１によって引起し装置１２に導入して引起し処理しながらバリカン形の刈取装置１３によって刈取処理し、刈取り穀稈を供給装置１４によって走行機体後方向きに搬送して脱穀装置５のフィードチェーン５ａに供給する。脱穀装置５は、フィードチェーン５ａによって刈取穀稈の株元側を挟持して走行機体後方向きに搬送し、搬送する刈取り穀稈の穂先側を扱室（図示せず）に供給して脱穀処理する。穀粒タンク６は、脱穀装置５から搬送された脱穀粒を回収して貯留していく。
【００３４】
図１〜図４に示すように、脱穀装置５の後部に、脱穀後の排ワラを処理する排ワラ処理部１５が備えられている。排ワラ処理部１５は、脱穀装置５の後方から穀粒タンク６の後方に亘って設けられている。排ワラ処理部１５は、シャッタ１６と、カッターを内蔵した筐体１７と、を備える。排ワラ処理部１５は、下方に排ワラを排出するように構成されている。本実施形態では、排ワラ処理部１５は、シャッタ１６を開いてフィードチェーン５ａで搬送される排ワラを細断して下方に放出する細断処理と、シャッタ１６を閉じて排ワラを細断せずに機体後方から排出する処理とを選択できるように構成されている。図３はシャッタ１６が開いている状態のコンバインの背面図であり、図４はシャッタ１６が開いている状態のコンバインの縦断面図である。
【００３５】
図３〜図７に示すように、コンバインには、電装品２０（図７参照）と、電装品２０に電力を供給するバッテリ２１と、電装品２０とバッテリ２１とを電気的に接続する導体２と、が備えられている。電装品２０は、例えば、農作業機に装備される、ヘッドライト、メーター等の表示部、エンジン始動用モータ、制御部等である。図３及び図４に示すように、バッテリ２１は、排ワラ処理部１５の下方に配置されている。バッテリ２１は、機体フレーム２２の上方に配置された支持部２１ａに支持されている。
【００３６】
図７に、電装品２０と、バッテリ２１と、電装品２０とバッテリ２１とを電気的に接続する導体２とを模式的に示す。導体２には、機体フレーム２２が含まれている。バッテリ２１と電装品２０との間に配置される導体２の中途部には、開状態（非接続状態）と閉状態（接続状態）とに切換可能であって、バッテリ２１からの電力の伝達を遮断可能な操作部３０が備えられている。バッテリ２１は、プラス端子２３とマイナス端子２４とを有する。本実施形態では、機体フレーム２２とバッテリ２１のマイナス端子２４との間に、操作部３０が配置される。バッテリ２１のプラス端子２３と電装品２０との間に第１導体２ａが配置され、電装品２０と導体２としての機体フレーム２２との間に第２導体２ｂが配置されている。機体フレーム２２と操作部３０との間には後述のステー２５が配置され、操作部３０とマイナス端子２４との間に第３導体２ｃが配置されている。
【００３７】
導体２の一部となる機体フレーム２２は、バッテリ２１のマイナス端子２４に近い部分に設けられ、操作部３０は、導体２における機体フレーム２２とマイナス端子２４との間の部分に設けられている。
【００３８】
ステー２５は、電導性を有し、機体フレーム２２に電導状態で支持されて設けられている。ステー２５に操作部３０が支持されている。操作部３０には、操作者が操作する操作具３３と、バッテリ２１の側からの導体２が結線される第一結線部３１と、機体フレーム２２の側からの導体２が結線される第二結線部３２と、が備えられている。本実施形態では、第二結線部３２は、ステー２５に連結されてステー２５の端部２５ａに配置されている。操作部３０において、第一結線部３１及び第二結線部３２が非接続状態で配置されている。第一結線部３１と第二結線部３２とは、操作具３３によって操作されるスイッチ３４により、開状態（非接続状態）と、閉状態（接続状態）とに切換可能である。
【００３９】
コンバインは、収穫期になり使用を開始する際には、操作部３０の操作具３３を操作してスイッチ３４を閉状態に切換える。一方、収穫期後の不使用期間に入る前には、操作部３０の操作具３３を操作してスイッチ３４を開状態に切換える。これにより、コンバインの不使用期間における、バッテリ２１の放電を抑制することができる。
【００４０】
図３〜図６に示すように、操作部３０は、排ワラ処理部１５の下方において、バッテリ２１と隣り合う状態で設けられている。操作部３０は機体の外周部に設けられている。本実施形態では、操作部３０は機体の後部であって、穀粒タンク６の後方に設けられている。
【００４１】
図３〜図５に示すように、穀粒タンク６と排ワラ処理部１５との間に、排ワラ処理部１５の排出経路４０を穀粒タンク６の後方空間４１と仕切る仕切壁３５が備えられている。仕切壁３５は、第１壁部３５ａと、第１壁部３５ａの機体右側下部に形成された切欠部３５ｂを覆う第２壁部３５ｃ及び第３壁部３５ｄとによって構成されている。第１壁部３５ａは矩形状の板状体である。切欠部３５ｂは、第１壁部３５ａの機体右側下部に形成されて横長の長方形状である。切欠部３５ｂには、バッテリ２１と操作部３０とが機体左右方向に並んで配置されている。操作部３０の操作具３３は機体後方から操作する状態で設けられている。バッテリ２１が機体左右方向中央寄りに配置され、操作部３０はバッテリ２１に対して機体左右方向の右側に配置されている。バッテリ２１は、後ろ部分が切欠部３５ｂから機体後方に突出する状態で配置されている。第２壁部３５ｃは、バッテリ２１の後部を覆うバッテリカバーである。第２壁部３５ｃは、バッテリ２１の形状に合うように有底の箱状に形成されている。
【００４２】
第３壁部３５ｄは、矩形状の板状体であって、操作部３０の一部及び第３導体２ｃを覆う。第３壁部３５ｄが第１壁部３５ａと面一状に配置されている。第３壁部３５ｄは、操作部３０の周囲に位置する周囲部分である。操作部３０は、第一結線部３１及び第二結線部３２が第３壁部３５ｄ（仕切壁３５）に対して穀粒タンク６の側に位置する状態、かつ、操作具３３が仕切壁３５に対して排出経路４０の側に露出する状態で設けられている。仕切壁３５のうち、第３壁部３５ｄは、第３壁部３５ｄ以外の部分（第１壁部３５ａ，第２壁部３５ｃ）から切り離して着脱可能に構成されている。第２壁部３５ｃは第１壁部３５ａから機体後方に向けて突出する形状であるため、第２壁部３５ｃによって排出経路４０の領域が制限を受ける。一方、第３壁部３５ｄは第１壁部３５ａと面一状に配置されているため、仕切壁３５による排出経路４０への影響を最小限に抑えることができる。
【００４３】
図２及び図３に示すように、排ワラ処理部１５は回動軸心Ｘ周りに回動可能に構成されている。したがって、排ワラ処理部１５を回動操作して機体後部を開放することで、操作部３０の操作具３３が露出状態となる。これにより、操作部３０おいて操作具３３の操作が可能になる。また、仕切壁３５のうち第３壁部３５ｄのみを取り外すことで、操作部３０において第一結線部３１及び第二結線部３２等が配置された主要部分のメンテナンスを行うことができる。
【００４４】
図３及び図４に示すように、排ワラ処理部１５は、排ワラ処理部１５の排出口１５ａから下方に向けて延出されて排出経路４０を囲うカバー部材１８が備えられている。カバー部材１８は、シート状に形成され、上部が筐体１７の下部に取り付けられている。
【００４５】
カバー部材１８は、機体左側の第１カバー１８ａと、機体後方に位置する第２カバー１８ｂと、機体右側の第３カバー１８ｃと、を有する。第１カバー１８ａ及び第３カバー１８ｃは、機体前後方向に沿って設けられている。第２カバー１８ｂは、第１カバー１８ａ及び第３カバー１８ｃの間に機体左右方向に沿って設けられている。カバー部材１８のうち、第３カバー１８ｃは、操作具３３の近傍に位置する部分である。第３カバー１８ｃに、操作具３３を外部に露出させる切欠部１９が形成されている。これにより、操作部３０の操作具３３は、第３カバー１８ｃの切欠部１９から操作することができる。操作部３０は、第３カバー１８ｃに近い位置に配置されているので、第３カバー１８ｃの切欠部１９から操作することができる。切欠部１９は、カバー部材１８のうち、操作具３３と対向する部分以外の部分に形成される。ここで、カバー部材１８のうち操作具３３と対向する部分とは、操作具３３を基準として機体後方に位置する第２カバー１８ｂである。
【００４６】
〔別実施形態〕
（１）上記の実施形態では、バッテリ２１が機体後部に配置される例を示したが、バッテリ２１は機体後部に限定されず、機体の他の箇所に配置されていてもよい。
【００４７】
（２）上記の実施形態では、操作部３０がバッテリ２１に対して機体左右方向において隣り合う状態で設けられている例を示したが、操作部３０はバッテリ２１に対して機体前後方向において隣り合う状態で設けられていてもよい。また、操作部３０は、バッテリ２１に隣り合っていない状態で設けられていてもよい。
【００４８】
（３）上記の実施形態では、操作部３０がバッテリ２１のマイナス端子２４と機体フレーム２２との間に配置される例を示したが、操作部３０はバッテリ２１のプラス端子２３と電装品２０との間に配置されてもよい。
【００４９】
（４）上記の実施形態では、機体フレーム２２にステー２５を連結し、ステー２５の端部２５ａを第二結線部３２とした例を示したが、ステー２５を設けずに機体フレーム２２に接続された他の導体２に第二結線部３２を配置してもよい。
【００５０】
（５）上記の実施形態では、機体右側の第３カバー１８ｃに切欠部１９を設ける例を示したが、機体後方の第２カバー１８ｂに開口窓と当該開口窓を覆う蓋部とを設け、開口窓から操作部３０の操作具３３を操作可能に構成してもよい。
【００５１】
（６）上記の実施形態では、穀粒貯留部として、穀粒排出装置７付きの穀粒タンク６を用いた構造のものを例示したが、これに限られるものではない。例えば、穀粒排出装置７を備えずに、穀粒貯留部として、下部に取り出し開口を有したホッパーを用いた構造のコンバインを採用してもよい。この場合には、人為的にホッパーの取り出し開口を開閉して穀粒を取り出せるようにして、袋詰め作業等を行うように構成されていればよい。
【産業上の利用可能性】
【００５２】
本発明は、自脱型コンバインだけでなく、バッテリを備えた農作業機であれば、普通型コンバイン等の他の収穫機や、トラクタ、田植機等にも適用可能である。
【符号の説明】
【００５３】
１      ：クローラ走行装置
２      ：導体
３      ：刈取部（収穫部）
４      ：運転部
５      ：脱穀装置
６      ：穀粒タンク（穀粒貯留部）
１５    ：排ワラ処理部
１５ａ  ：排出口
１６    ：シャッタ
１７    ：筐体
１８    ：カバー部材
１８ａ  ：第１カバー
１８ｂ  ：第２カバー
１８ｃ  ：第３カバー
１９    ：切欠部
２０    ：電装品
２１    ：バッテリ
２２    ：機体フレーム
２３    ：プラス端子
２４    ：マイナス端子
２５    ：ステー
３０    ：操作部
３１    ：第一結線部
３２    ：第二結線部
３３    ：操作具
３５    ：仕切壁
３５ａ  ：第１壁部
３５ｂ  ：切欠部
３５ｃ  ：第２壁部
３５ｄ  ：第３壁部
【図１】
2022002489.tif 000003
【図２】
2022002489.tif 000004
【図３】
2022002489.tif 000005
【図４】
2022002489.tif 000006
【図５】
2022002489.tif 000007
【図６】
2022002489.tif 000008
【図７】
2022002489.tif 000009